(57)【要約】【課題】  信頼性の高い安全な装置の設置面積の小さなインクジェット記録装置を提供する。【解決手段】  インクジェット印刷ユニットのカバーを第１のカバーと該第１のカバーに覆い被さるように設置された第２のカバーを具備し、前記第１のカバー開時には該第１のカバーが前記第２のカバーの下側にもぐり込むようにスライドし、また前記第２のカバー開時には該第２のカバーが前記第１のカバーの上側に覆い被さるようにスライドする構成とする。【選択図】      図１
2005088530.tif 000002
【特許請求の範囲】
【請求項１】
記録媒体を搬送する記録媒体搬送ユニットと、プリントヘッドと、そのプリントヘッドを記録媒体の搬送方向と直交する方向に移動するＸ軸搬送部と、プリントヘッドを鉛直方向に移動するＺ軸搬送部と、
プリントヘッドにインクを供給するインク供給タンク、プリントヘッド内部に混入したエアを取り除くパージキュッピング部とポンプとからなるパージ部、プリントヘッド表面を拭き取るワイピングペーパと該ワイピングペーパを巻き取るためのモータとからなるワイピング部、前記パージ部で吸引されたインクを廃棄する廃インクタンクから構成されたプリントヘッド保全部と、を備えたインクジェット記録装置において、
前記Ｘ軸搬送部と同方向にスライドする第１のカバーと該第１のカバーに覆い被さるように設置された第２のカバーを具備し、前記第１のカバー開時には該第１のカバーが前記第２のカバーの下側にもぐり込むようにスライドし、また、前記第２のカバー開時には該第２のカバーが前記第１のカバーの上側に覆い被さるようにスライドすることを特徴とするインクジェット記録装置。
【請求項２】
前記第１のカバー取手部に、前記第２のカバーと当接する突起部を設けたことを特徴とする請求項１に記載のインクジェト記録装置。
【請求項３】
記録媒体搬送装置上の第２のカバーに、可視材料を具備した窓を設けたことを特徴とする請求項１または２に記載のインクジェト記録装置。
【請求項４】
前記第２のカバーの窓に、紫外線カットの材質の可視材料を設けたことを特徴とする請求項３に記載のインクジェト記録装置。
【発明の詳細な説明】
【技術分野】
【０００１】
本発明は、インクジェット記録装置に係り、特に製造ラインなどで使用される産業用インクジェット記録装置に関する。
【背景技術】
【０００２】
従来、アーチを形成するカーブに沿って湾曲可能となるよう、インクジェット記録装置に空洞部を設けて取り付けられ、プリントヘッド部全体を覆うようなカバー構成が開示されている（例えば、特許文献１参照）。
【０００３】
【特許文献１】特開平７−２５６８８８号公報
【発明の開示】
【発明が解決しようとする課題】
【０００４】
しかし、上述したカバーの構成では、インクジェット記録装置を構成するプリントヘッド部、および、プリントヘッドを保全するパージ部、ワイピング部等全体がカバーで覆われており、例えば、用紙ジャム等の不具合が生じた場合、消耗品の交換、メンテナンス時にカバーを開けることにより、前記インクジェット記録装置を構成するプリントヘッドのノズルや、プリントヘッドを保全するパージ部、ワイピング部等全体がカバーのない状態にさらされるため、前記部品に塵埃等が付着する確率が高くなりノズルの不吐出の原因となる。
【０００５】
また、特に、紫外線硬化型インクを使用するインクジェット記録装置の場合には、紫外線が前記プリントヘッドのノズルや、プリントヘッドを保全するパージ部、ワイピング部に照射されると、前記紫外線硬化型インクが硬化して、同様に不吐出の原因となる。
【０００６】
また、前記従来技術からなるカバー構成ではアーチを形成するカーブに沿って湾曲可能となるカバーをインクジェット記録装置に収納するための空洞部が必要であり、装置を小さくすることができない。
【０００７】
本発明の目的は、このような従来技術の欠点を解消し、信頼性の高い装置の設置面積の小さなインクジェット記録装置を提供することにある。
【課題を解決するための手段】
【０００８】
この目的を達成するため本発明では、記録媒体を搬送する記録媒体搬送ユニットと、プリントヘッドと、そのプリントヘッドを記録媒体の搬送方向と直交する方向に移動するＸ軸搬送部と、プリントヘッドを鉛直方向に移動するＺ軸搬送部とプリントヘッドにインクを供給するインク供給タンクとプリントヘッド内部に混入したエアを取り除くパージキュッピング部とポンプからなるパージ部とプリントヘッド表面を拭き取るワイピングペーパ、ワイピングペーパを巻き取るためのモータからなるワイピング部、前記パージ部で吸引されたインクを廃棄する廃インクタンクから構成されたプリントヘッド保全部を備えたインクジェット記録装置において、前記Ｘ軸搬送部と同方向にスライドする第１のカバーと該第１のカバーに覆い被さるように設置された第２のカバーを具備し、前記第１のカバー開時には該第１のカバーが前記第２のカバーの下側にもぐり込むようにスライド、また前記第２のカバー開時には該第２のカバーが前記第１のカバーの上側に覆い被さるようにスライドし、操作エリアを確保しかつ前記カバーのスライド方向はインクジェット記録装置設置エリアを増大させない方向、すなわちインクジェット記録装置の内側方向にスライドすることを特徴とする。
【０００９】
また、前記第１のカバー取手部に前記第２のカバーと当接する突起部を設けたことを特徴とする。
【００１０】
また、記録媒体搬送装置上の第２のカバーに可視材料を具備した窓を設けたことを特徴とする。
【００１１】
また、前記第２のカバーの可視窓に紫外線カットの材質の可視材料を設けたことを特徴とする。
【発明の効果】
【００１２】
本発明によれば、インクジェット印刷ユニットのカバーを第１のカバーと、第１のカバーに覆い被さるように設置された第２のカバーとを具備し、前記第１のカバー開時には、第１のカバーが前記第２のカバーの下側にもぐり込むようにスライドし、また、前記第２のカバー開時には、第２のカバーが前記第１のカバーの上側に覆い被さるようにスライドさせる構成とすることにより、信頼性の高い安全で装置の設置面積の小さなインクジェット印刷ユニットを提供することが可能となる。これは、片方のカバー開時に、プリントヘッドを他方のカバーの下に格納することにより、紫外線の照射からプリントヘッド部を保護することによる。
【発明を実施するための最良の形態】
【００１３】
本発明の実施例について、以下説明する。
【実施例１】
【００１４】
インク滴を吐出する複数列のプリントヘッド８、プリントヘッド８を記録媒体の搬送方向と直交する方向に移動するプリントヘッドＸ軸搬送部１０、前記プリントヘッド８を鉛直方向に移動するプリントヘッドＺ軸搬送部９と、前記プリントヘッド８にインクを供給する供給インクタンク１１、供給インクタンク１１にはインク供給ホース１１−ａが連結され、インクホース１１−ａはインク供給ホース保持部１１−ｂにより保持され、前記プリントヘッド８に連結されている。このため、前記プリントヘッドＸ軸搬送部１０により記録媒体搬送ユニット１上にプリントヘッド８を移動し、前記プリントヘッドＺ軸搬送部９により、図示しない記録媒体とプリントヘッド８を所定の距離に移動して印刷することができる。
【００１５】
また、プリントヘッド保全部は、前記プリントヘッド８内部に混入したエアを取り除くポンプ１３とパージキャッピング部１２とから構成されるパージ部と、プリントヘッド８表面のインクを拭き取るワイピングペーパ１５と、ワイピングペーパ１５を巻き取るモータ１６から構成されるワイピング部、および前記パージ部で吸引したインクを廃棄する廃インクタンク１４で構成されている。
【００１６】
パージ動作時には、プリントヘッド８をプリントヘッドＸ軸搬送部１０により、パージキャッピング部１２上まで移動し、プリントヘッドＺ軸搬送部９により、プリントヘッド８を前記パージキャッピング部１２に押し当て、ポンプ１３によりプリントヘッド２内部に混入したエアをインクと一緒に取り除く。取り除いた前記インクは、廃インク用ホース１７により廃インクタンク１４に排出される。
【００１７】
ワイピング動作時には、プリントヘッド８の端部をプリントヘッドＸ軸搬送部１０により、ワイピングペーパ１５上まで移動し、プリントヘッドＺ軸搬送部９により、プリントヘッド８をワイピングペーパ１５に押し当て、プリントヘッドＸ軸搬送部１０により、移動してプリントヘッド８表面に付着したインクをふき取ることができる。
【００１８】
上述した機構部を覆うカバーは、プリントヘッド保全部上に前記プリントヘッドＸ軸搬送部１０と同方向にスライドする第１の開閉可能カバー２と、第１の開閉可能カバーに覆い被さるように設置された第２の開閉可能カバー３、プリントヘッド保全部右側面に設けられた第３の開閉可能カバー４、前記プリントヘッド保全部を覆う第１のプリントヘッド保全系固定カバー５と第２のプリントヘッド保全系固定カバーおよび固定カバー７から構成されている。
【００１９】
図４、図５に第２の開閉可能カバー２開時の状態を示す概略図を示す。
【００２０】
取手２−ａおよび可視カバー２−ｂを具備した第２の開閉可能カバー２は、前記第１の開閉可能カバー３上に覆いかぶさるように開けることができ、記録媒体搬送ユニット上で記録媒体搬送時の搬送不良等が発生した場合メンテナンスが可能となる。このメンテナンスの際、図ではプリントヘッド部を記録媒体搬送ユニット上にある状態で記載したが、第２の開閉可能カバー２を開ける前に、前記プリントヘッド部を前記第１の開閉可能カバー３の下に移動することにより、塵埃の堆積、紫外線の照射を防ぐことができる。また、プリントヘッド保全部も前記第１の開閉可能カバー３の下にあるため同様に塵埃の堆積、紫外線の照射を防ぐことができる。
【００２１】
また、前記可視カバー２−ｂにより、プリントヘッド８の位置をカバーを開けることなく確認することができる。さらに、前記可視カバーに紫外線カットの材質を用いることにより、紫外線硬化型インクを使用する場合にも前述した従来例の問題点を解消できる。
【００２２】
図６、図７に第１の開閉可能カバー３および第３の開閉可能カバー４開時の状態を示す概略図を示す。
【００２３】
取手３−ｂおよびストッパ３−ａを具備した第１の可動カバー３は、前記第１の可動カバー２下にもぐり込むように開けることができ、消耗品であるワイピングペーパ１５の交換作業、およびプリントヘッド保全部のメンテナンスが可能となる。このメンテナンスの際、図ではプリントヘッド部をプリントヘッド保全部上にある状態で記載したが、第１の開閉可能カバー３を開ける前に、前記プリントヘッド部を前記第２の開閉可能カバー２の下に移動することにより、塵埃の堆積、紫外線の照射を防ぐことができる。
【００２４】
また、前記第１の開閉可能カバーを開ける際、取手３−ｂの両端にストッパ３−ａを設けることにより、前記第２の開閉可能カバー２と手の挟み込みを防止することができる。
【００２５】
また、前記第３の開閉可能カバーを開けることにより、消耗品であるインク供給タンク１１の交換作業、廃インクタンクの交換作業が可能となる。
【００２６】
また、記録媒体搬送ユニット上で記録媒体搬送時の搬送不良等が発生した場合メンテナンスが可能となる。
【００２７】
以上説明したカバーの構成をとることにより、信頼性の高い安全で装置の設置面積の小さなインクジェット記録装置を提供することが可能となる。
【図面の簡単な説明】
【００２８】
【図１】本発明による一実施例を示す、インクジェット記録装置のカバー閉時を示す側面図である。
【図２】本発明による一実施例を示す、インクジェット記録装置のカバー閉時を示す右側面図である。
【図３】本発明による一実施例を示す、インクジェット記録装置のカバー閉時を示す上面図である。
【図４】本発明による一実施例を示す、インクジェット記録装置の第２のカバー開時の側面図である。
【図５】本発明による一実施例を示す、インクジェット記録装置の第２のカバー開時の上面図である。
【図６】本発明による一実施例を示す、インクジェット記録装置の第１および第３カバー開時の側面図である。
【図７】本発明による一実施例を示す、インクジェット記録装置の第１および第３カバー開時の上面図である。
【符号の説明】
【００２９】
１は記録媒体搬送ユニット、１−ａは搬送ベルト、２は第２の開閉可能カバー、２−ａは第２の開閉可能カバー取手、２−ｂは可視カバー、３は第１の開閉可能カバー、３−ａはストッパ、３−ｂは第１の開閉可能カバー取手、４は第３の開閉可能カバー、４−ａは第３の開閉可能カバー取手、５は第１のプリントヘッド保全系固定カバー、６は第２のプリントヘッド保全系固定カバー、７は固定カバー、８はプリントヘッド、８−ａはプリントヘッド保持部、９はプリントヘッドＺ軸搬送部、１０はプリントヘッドＸ軸搬送部、１１はインク供給タンク、１１−ａはインク供給ホース、１１−ｂはインク供給ホース保持部、１２はパージキャッピング部、１３はポンプ、１４は廃インクタンク、１５はワイピングペーパ、１６はモータ、１７は廃インク用ホースである。
【図１】
2005088530.tif 000003
【図２】
2005088530.tif 000004
【図３】
2005088530.tif 000005
【図４】
2005088530.tif 000006
【図５】
2005088530.tif 000007
【図６】
2005088530.tif 000008
【図７】
2005088530.tif 000009